(57)【要約】【課題】インフレータがシングル構造であってもデュアル構造であってもモジュールケースを共用することができるエアバッグモジュール構造を得る。【解決手段】モジュールケース２６の傾斜壁部２６Ｅには一対の挿通孔７６が形成されている。スクイブ７０が１個配設されるシングル構造のインフレータ３８Ａの場合には、残りの挿通孔７６に挿入される位置決めピン８０がインフレータ３８Ａの外周面に取り付けられる。スクイブ７０が２個配設されるデュアル構造のインフレータ３８Ｂの場合には、同じ間隔Ｔで一対のスクイブ７０が配設される。従って、シングル構造、デュアル構造のいずれであっても、同一のモジュールケース２６を共用できる。【選択図】    図５
2006069337.tif 000002
【特許請求の範囲】
【請求項１】
作動することによりガスを発生して折り畳み状態のエアバッグを膨張させるインフレータから一部突出した状態で配設されると共に、衝突時に当該インフレータを作動させる単一の又は複数の点火装置と、
インフレータ及び折り畳み状態のエアバッグを収容すると共に点火装置の突出部分が挿通可能な複数の挿通孔が形成されたモジュールケースと、
インフレータをモジュールケースに固定する固定手段と、
を含んで構成されたエアバッグモジュール構造であって、
挿通孔の形成個数が点火装置の配設個数と同数の場合には、当該点火装置の突出部分を対応する挿通孔内へそれぞれ挿通させた状態で固定手段を使ってインフレータをモジュールケースに固定し、
挿通孔の形成個数が点火装置の配設個数よりも多い場合には、インフレータにおける余剰となった挿通孔と対応する位置に当該挿通孔内へ挿通可能な位置決め部材を取り付けた上で、当該点火装置の突出部分及び位置決め部材を対応する挿通孔内へそれぞれ挿通させた状態で固定手段を使ってインフレータをモジュールケースに固定した、
ことを特徴とするエアバッグモジュール構造。
【請求項２】
前記点火装置の突出部分及び前記位置決め部材は、前記固定手段を兼ねている、
ことを特徴とする請求項１記載のエアバッグモジュール構造。
【発明の詳細な説明】
【技術分野】
【０００１】
本発明は、車両急減速時等にエアバッグを膨出させて乗員を保護するエアバッグ装置に適用されるエアバッグモジュール構造に関する。
【背景技術】
【０００２】
一般に、助手席用エアバッグ装置は、インストルメントパネルにおける助手席側の所定位置（トップダッシュタイプの場合は頂部、ミッドシップタイプの場合はグローブボックスの上部）に配設されている。かかる助手席用エアバッグ装置は、車両急減速時にガスを発生する略円柱形状のインフレータと、このインフレータから噴出されたガスによって膨張するエアバッグと、インフレータ及び折り畳み状態のエアバッグ等を収容するモジュールケースと、通常はモジュールケースの開口面を覆いエアバッグの膨張圧が所定値以上になると破断して展開するエアバッグドアと、を含んで構成されている。
【０００３】
また、電気着火式の助手席用エアバッグ装置に用いられるインフレータには、車両急減速時に通電されて着火剤を着火させるスクイブ（点火装置）が配設されている。スクイブはインフレータの端部に軸方向に沿って突出した状態で配設されるものもあるが、インフレータの外周部に半径方向外側へ向けて突出した状態で配置されるものもある。
【０００４】
さらに、上記インフレータの周壁部には、折り畳み状態のエアバッグ内へガスを噴出させるための多数のガス噴出孔が形成されているが、インフレータをモジュールケース内の所定位置に固定する際に、インフレータが回転してガス噴出孔の向きがずれるのを防止するため、モジュールケースに対する周方向の位置決めを行うための位置決めピンをインフレータの外周部に立設させている。
【特許文献１】登録実用新案公報３０３７５４２号公報
【特許文献２】特表平２００１‐５０８００７号公報
【特許文献３】特開２００１‐１９１８９０号公報
【発明の開示】
【発明が解決しようとする課題】
【０００５】
ここで、上記インフレータの構造にはシングル構造とデュアル構造とがある。シングル構造のインフレータは上述したスクイブが一個配設されており、作動すると決まった容量のガスが発生されるのに対し、デュアル構造のインフレータはスクイブが二個配設されており、衝突速度や乗員の体格の違いに応じて出力を二段階に制御する。このため、インフレータの外周部から半径方向外側へ突出するスクイブ及び位置決めピンの配置位置がシングル構造かデュアル構造かによって異なり、それに応じてモジュールケースに形成する穴を打ち分ける必要があった。その結果、二種類のモジュールケースを製作する必要があり、手間がかかると共にコストも高くなっていた。
【０００６】
なお、上記特許文献１にはインフレータから一対のスタッドボルトが突出されてインフレータ及びモジュールケースの固定に供される構造が開示されているが、シングル構造とデュアル構造とでどのようにスタッドボルト等の固定手段やモジュールケースを使い分けるかといったことについては言及されていない。
【０００７】
本発明は上記事実を考慮し、インフレータがシングル構造であってもデュアル構造であってもモジュールケースを共用することができるエアバッグモジュール構造を得ることが目的である。
【課題を解決するための手段】
【０００８】
請求項１記載の本発明に係るエアバッグモジュール構造は、作動することによりガスを発生して折り畳み状態のエアバッグを膨張させるインフレータから一部突出した状態で配設されると共に、衝突時に当該インフレータを作動させる単一の又は複数の点火装置と、インフレータ及び折り畳み状態のエアバッグを収容すると共に点火装置の突出部分が挿通可能な複数の挿通孔が形成されたモジュールケースと、インフレータをモジュールケースに固定する固定手段と、を含んで構成されたエアバッグモジュール構造であって、挿通孔の形成個数が点火装置の配設個数と同数の場合には、当該点火装置の突出部分を対応する挿通孔内へそれぞれ挿通させた状態で固定手段を使ってインフレータをモジュールケースに固定し、挿通孔の形成個数が点火装置の配設個数よりも多い場合には、インフレータにおける余剰となった挿通孔と対応する位置に当該挿通孔内へ挿通可能な位置決め部材を取り付けた上で、当該点火装置の突出部分及び位置決め部材を対応する挿通孔内へそれぞれ挿通させた状態で固定手段を使ってインフレータをモジュールケースに固定した、ことを特徴としている。
【０００９】
請求項２記載の本発明に係るエアバッグモジュール構造は、請求項１記載の発明において、前記点火装置の突出部分及び前記位置決め部材は、前記固定手段を兼ねている、ことを特徴としている。
【００１０】
請求項１記載の本発明によれば、衝突時になると、点火装置によってインフレータが作動される。これにより、大量のガスが発生し、折り畳み状態のエアバッグが膨張される。
【００１１】
ここで、モジュールケースには複数の挿通孔が形成されており、挿通孔の形成個数が点火装置の配設個数と同数の場合（例えば、挿通孔が二個形成されており、点火装置もデュアル構造のため二個配設される場合）には、当該点火装置の突出部分を対応する挿通孔内へそれぞれ挿通させた状態で、固定手段を使ってインフレータがモジュールケースに固定される。つまり、この場合、複数の点火装置自体が、インフレータのモジュールケースに対する位置決め手段として機能する。
【００１２】
一方、挿通孔の形成個数が点火装置の配設個数よりも多い場合（例えば、挿通孔が二個形成されており、点火装置がシングル構造のため一個のみ配設される場合）には、インフレータにおける余剰となった挿通孔と対応する位置に、当該挿通孔内へ挿通可能な位置決め部材が取り付けられる。その上で、当該点火装置の突出部分及び位置決め部材を対応する挿通孔内へそれぞれ挿通させた状態で、固定手段を使ってインフレータがモジュールケースに固定される。つまり、この場合、単一の点火装置と新たに取り付けられた位置決め部材とが、インフレータのモジュールケースに対する位置決め手段として機能する。
【００１３】
このようにすれば、インフレータがシングル構造であってもデュアル構造であっても同一のモジュールケースを共用することができる。
【００１４】
請求項２記載の本発明によれば、点火装置の突出部分及び位置決め部材は固定手段を兼ねているため、別個独立に固定手段を設定する場合に比し、部品点数を削減することができる。
【発明の効果】
【００１５】
以上説明したように、請求項１記載の本発明に係るエアバッグモジュール構造は、挿通孔の形成個数が点火装置の配設個数と同数の場合には、当該点火装置の突出部分を対応する挿通孔内へそれぞれ挿通させた状態で固定手段を使ってインフレータをモジュールケースに固定し、挿通孔の形成個数が点火装置の配設個数よりも多い場合には、インフレータにおける余剰となった挿通孔と対応する位置に当該挿通孔内へ挿通可能な位置決め部材を取り付けた上で、当該点火装置の突出部分及び位置決め部材を対応する挿通孔内へそれぞれ挿通させた状態で固定手段を使ってインフレータをモジュールケースに固定したので、インフレータがシングル構造であってもデュアル構造であってもモジュールケースを共用することができるという優れた効果を有する。
【００１６】
請求項２記載の本発明に係るエアバッグモジュール構造は、請求項１記載の発明において、点火装置の突出部分及び位置決め部材が固定手段を兼ねているため、その分部品点数を削減することができ、構造の簡素化及びコスト削減を図ることができるという優れた効果を有する。
【発明を実施するための最良の形態】
【００１７】
以下、図１〜図７を用いて、本発明に係るエアバッグモジュール構造の一実施形態について説明する。なお、これらの図において適宜示される矢印ＦＲは車両前方側を示しており、矢印ＵＰは車両上方側を示しており、矢印ＩＮは車両幅方向内側を示しており、矢印ＯＵＴは車両幅方向外側を示している。
【００１８】
図１には、本実施形態に係る助手席用エアバッグ装置１８の全体斜視図が示されている。また、図２には、助手席用エアバッグ装置１８が組み込まれたインストルメントパネル１０の外観斜視図が示されている。さらに、図３には、組付状態の助手席用エアバッグ装置１８の縦断面構造が示されている。
【００１９】
これらの図に示されるように、インストルメントパネル１０は、車室内側に配置されかつ軟質樹脂材料によって構成されたインパネ表皮１２と、このインパネ表皮１２に対して所定の間隔をあけて配置されかつ硬質樹脂材料によって構成されたインパネ基材１４と、これらのインパネ表皮１２とインパネ基材１４との間に充填されたウレタン発泡による発泡層１６と、によって構成されている。
【００２０】
一方、助手席用エアバッグ装置１８は、インストルメントパネル１０における助手席側頂部に配置されたエアバッグドア２０と、このエアバッグドア２０の裏面側に配設された本体部２２と、によって構成されている。
【００２１】
具体的に説明すると、インパネ基材１４における助手席側の頂部所定位置には略矩形状の開口２４が形成されており、この開口２４の略車両下方側に本体部２２が配設されている。本体部２２は、前壁部２６Ａ、後壁部２６Ｂ、一対の側壁部２６Ｃ、底壁部２６Ｄ、及び傾斜壁部２６Ｅによって略箱体形状に形成された金属製のモジュールケース２６を備えている。
【００２２】
モジュールケース２６の底壁部２６Ｄの裏面の両サイドには、中央部にボルト挿通孔が形成された一対の取付ブラケット３０が固着されている。これに対応して、インストルメントパネル１０の内方側に略車両幅方向を長手方向として配置された高強度のインパネリインフォース３２には、ウエルドナット３３が溶着された一対の取付ブラケット３４が形成されている。そして、インパネリインフォース３２側の取付ブラケット３４にモジュールケース２６側の取付ブラケット３０を対応させて、固定ボルト３６をウエルドナット３３に螺合させることにより、モジュールケース２６がインパネリインフォース３２に固定されている。
【００２３】
上述したモジュールケース２６の内部前方側には、略円柱形状のインフレータ３８が配設されている。インフレータ３８の構成の一例について簡単に説明すると、インフレータ３８の周壁部には複数のガス噴出孔（図示省略）が形成されている。また、インフレータ３８の内部には、後述するスクイブ７０に所定電流が通電されることにより着火する着火剤と、この着火剤が着火されることによりガス発生剤に火炎を伝播する伝火剤と、燃焼することにより大量のガスを発生するガス発生剤と、燃焼後のガス発生剤の砕片の除去等を行うフィルタ等が収容されている。なお、後述するスクイブ７０との関係では上記ガス発生剤封入タイプのインフレータ３８を用いるのが好ましいが、構成によっては圧縮ガスが封入されたボトルタイプのインフレータを適用することも可能である。
【００２４】
また、モジュールケース２６の内部後方側には、所定の折り畳み方（蛇腹折り、ロール折り等）で折り畳まれたエアバッグ４０が配設されている。なお、エアバッグ４０の端末部は、狭幅なリテーナ５０を介してリベット等の固定具５２でモジュールケース２６の上端部に固定されている。また、インフレータ３８とエアバッグ４０との間には、インフレータ３８から噴出されたガスを整流するための複数の開口部（図示省略）が形成されたディフューザ５４が配設されている。
【００２５】
一方、図３に示されるように、助手席用エアバッグ装置１８の本体部２２を閉塞するエアバッグドア２０は、ウインドシールドガラス４２に対向して配置されている。より具体的には、エアバッグドア２０は、車室内側に配置されかつインパネ表皮１２の一部でもあるドア表皮４４（なお、区別するために符号のみ変える）と、このドア表皮４４に対して所定の間隔をあけて配置され硬質樹脂製かつ略矩形状とされたドア基材４６（図１も参照）と、これらのドア表皮４４とドア基材４６との間に充填されインストルメントパネル１０の発泡層１６の一部でもある発泡層４８（なお、区別するために符号のみ変える）と、によって構成されている。
【００２６】
上述したドア基材４６の周縁部には略車両下方側へ下がる段差部４６Ａが一体に形成されており、これに対応してインパネ基材１４の開口２４の周縁部には上向きに鉤状となるように形成された鉤状部１４Ａが一体に形成されている。段差部４６Ａと鉤状部１４Ａとは相互に当接されており、その外周側にインパネ表皮１２とドア表皮４４との境界を画定する断面Ｕ字状の表皮開裂部５６が配置されている。なお、表皮開裂部５６は、平面視で略コ字形に形成されている（図２参照）。
【００２７】
また、ドア基材４６の前端部には、狭幅で略車両幅方向を長手方向とする取付部４６Ｂが一体に形成されている。この取付部４６Ｂはインパネ基材１４における開口２４の周縁前部の上面に当接され、この状態でボルト５８及びナット６０により開口２４の周縁前部に固定されている。
【００２８】
ここで、上述したインフレータ３８の外周部には、軸直角方向からスクイブ（点火装置）７０が取り付けられている。点火装置７０は、図示しないコンソールボックス下方等に配設されたセンタコントロールユニットと接続されている。また、センタコントロールユニットは、車両前部両側等に配設され車両前部への所定の高荷重作用状態（車両急減速状態）を検出するエアバッグセンサ（図示省略）と接続されている。
【００２９】
図５に示されるインフレータ３８Ａはスクイブ７０を１個使用するシングル構造のインフレータであり、図６に示されるインフレータ３８Ｂはスクイブ７０を２個使用するデュアル構造（二段階出力型）のインフレータである。
【００３０】
スクイブ７０は略円柱形状を成しており、大径部７０Ａと小径部７０Ｂを備えている。大径部７０Ａの外周面には、固定手段の一方を構成する雄ねじ７２が形成されている。また、小径部７０Ｂの軸芯部からは配線７４が引き出されている。
【００３１】
図６に示されるように、デュアル構造のインフレータ３８Ｂでは、一対のスクイブ７０が軸方向に所定の間隔Ｔをあけて配設されている。これに対応して、モジュールケース２６の傾斜壁部２６Ｅには、同一の間隔Ｔで一対の挿通孔７６が形成されている。各挿通孔７６の内径はスクイブ７０の大径部７０Ａの外径と同一に設定されている。そして、インフレータ３８Ｂをモジュールケース２６の内側へ入れて一対のスクイブ７０を一対の挿通孔７６内へ各々挿通させた後、モジュールケース２６の外側から固定手段の他方を構成するナット７８をスクイブ７０の雄ねじ７２に螺合させることにより、インフレータ３８Ｂがモジュールケース２６の傾斜壁部２６Ｅの内側に固定される構成である。
【００３２】
一方、図５に示されるように、シングル構造のインフレータ３８Ａでは、単一のスクイブ７０が軸方向の所定位置に配設されており、当該スクイブ７０からインフレータ３８Ａの軸方向に一定の間隔Ｔをあけて位置決め部材としての円柱形状の位置決めピン８０が溶接により取り付けられている。位置決めピン８０の外径はスクイブ７０の大径部７０Ａの外径と同一に設定されており、又位置決めピン８０の外周部には雄ねじ８２が形成されている。なお、スクイブ７０はインフレータ３８Ａの周壁部を貫通した状態で配置されるが、位置決めピン８０はインフレータ３８Ａの外周面に溶接で固着されているのみである（即ち、インフレータ３８Ａの周壁部に孔は形成していない）。そして、インフレータ３８Ａをモジュールケース２６の内側へ入れて一対のスクイブ７０と位置決めピン８０とを一対の挿通孔７６内へそれぞれ挿通させた後、ナット７８をスクイブ７０の雄ねじ７２と位置決めピン８０の雄ねじ８２とにそれぞれ螺合させることにより、インフレータ３８Ａがモジュールケース２６の傾斜壁部２６Ｅの内側に固定される構成である。
【００３３】
すなわち、本実施形態では、シングル構造のインフレータ３８Ａ及びデュアル構造のインフレータ３８Ｂのいずれであっても、同一のモジュールケース２６が使用されるようになっている。
【００３４】
（本実施形態の作用・効果）
次に、本実施形態の作用並びに効果について説明する。
【００３５】
車両前部への所定の高荷重作用時、即ち車両急減速時になると、当該車両急減速状態が図示しないエアバッグセンサによって検出される。これにより、センタコントロールユニットからインフレータ３８のスクイブ７０に所定電流が通電される。このため、インフレータ３８が作動して、当該インフレータ３８のガス噴出孔からガスが噴出される。噴出されたガスはディフューザ５４によって整流されてから折り畳み状態のエアバッグ４０内へ流入され、当該エアバッグ４０を膨張させる。そして、エアバッグ４０の膨張圧が所定圧に達すると、エアバッグドア２０が表皮開裂部５６から破断して、ウインドシールドガラス４２側へ向けて片開きに展開される。これにより、エアバッグ４０が助手席側へ向けて膨出される。なお、このとき、エアバッグドア２０とモジュールケース２６とを連結している図示しないストラップが伸張し、これによりエアバッグドア２０の展開角度が規制される。その結果、エアバッグドア２０とウインドシールドガラス４２との干渉が防止される。
【００３６】
また、上述した助手席用エアバッグ装置１８に搭載されたインフレータ３８がシングル構造のインフレータ３８Ａである場合には、単一のスクイブ７０に通電され、インフレータ３８Ａから所定容量のガスが噴出される。これにより、エアバッグ４０が所定の展開形状に膨張される（図４の実線図示状態参照）。
【００３７】
一方、助手席用エアバッグ装置１８に搭載されたインフレータ３８がデュアル構造のインフレータ３８Ｂである場合には、エアバッグ４０の展開制御がなされる。
【００３８】
すなわち、低速で衝突したような場合（軽衝突時）には、一方のスクイブ７０のみに通電され、インフレータ３８Ｂの言わば第一段目のみが作動される。これにより、所定容量のガスがエアバッグ４０内へ流入され、第１の展開形状（図４の実線図示状態）となる。
【００３９】
一方、高速で衝突したような場合（軽衝突時以外の衝突時）には、最初に一方のスクイブ７０に通電され、所定容量のガスがエアバッグ４０内へ流入される。続いて、他方のスクイブ７０に通電されて、第１段目よりも少なめの容量のガスがエアバッグ４０内へ時間遅れを生じて流入される。これにより、エアバッグ４０内の膨張圧が一定の膨張圧以上である状態を持続させて、乗員に作用する衝撃を長時間に亘って緩和する（図４の二点鎖線図示状態参照）。
【００４０】
なお、デュアル構造のインフレータ３８Ｂの展開制御は上記の如く衝突速度に基づいて行ってもよいし、助手席に着座した乗員が大人か子供かといった体格差に基づいて行ってもよい。体格差の検出は、一例として、フロントシートのシートポジションから検出される。
【００４１】
ここで、本実施形態に係る助手席用エアバッグ装置１８では、デュアル構造のインフレータ３８Ｂの場合には、当該インフレータ３８Ｂの外周部に所定の間隔Ｔをあけて一対のスクイブ７０を軸直角方向（互いに平行）に配設し、シングル構造のインフレータ３８Ａの場合には、同一間隔Ｔをあけて単一のスクイブ７０と位置決めピン８０とを軸直下方向（互いに平行）に配設したので、一対の挿通孔７６の形成位置を変更することなく、同一構造のモジュールケース２６を共用することができる。
【００４２】
より詳細に前記効果を説明すると、図７（Ａ）には対比例としてのシングル構造のインフレータ９０が示されている。この図に示されるように、インフレータ９０の外周部に軸直角方向に突出するようにスクイブ７０を固定し、ナット締めによりモジュールケースに固定しようとした場合、ナット締結時にインフレータ９０が回転してしまうため、スクイブ７０から所定距離離れた箇所に位置決めピン９２を立設させておく必要がある。これに伴い、モジュールケースの傾斜壁部には、スクイブ７０と位置決めピン９２とが挿通可能な径が異なる一対の挿通孔を形成しておくことになる。
【００４３】
一方、図７（Ｂ）には対比例としてのデュアル構造のインフレータ９４が示されている。この図に示されるように、デュアル構造のインフレータ９４の場合には、前記場合と同様の考え方をすると、インフレータ９４の外周部に一対のスクイブ７０と位置決めピン９２が配設されることになる。従って、デュアル構造のインフレータ９４が搭載される場合には、モジュールケースの傾斜壁部には、三箇所に径が異なる挿通孔を形成する必要がある。このため、単純に「スクイブ７０＋位置決めピン９２」によるインフレータのモジュールケースへの組付を採用すると、モジュールケースを製作する際に穴（挿通孔）を打ち分ける必要が生じ、製作の煩雑化、組付工程の煩雑化等を招く。
【００４４】
なお補足すると、デュアル構造のインフレータ９４の場合には、一対のスクイブ７０が軸直角方向に配設されていれば、これらのスクイブ７０によってナット締結時のインフレータ９４の回転を防止（回り止め）できるとも考えられるが、シングル構造のインフレータ９０の場合と同一の考え方を基調としてインフレータを構築する関係で、予備的に位置決めピン９２を立設する。
【００４５】
しかし、本実施形態のように、モジュールケース２６の挿通孔７６の形成個数を２個とし、デュアル構造のインフレータ９４の場合には一対のスクイブ７０をそのまま位置決めピンとしても機能させ、シングル構造のインフレータ９０の場合には単一のスクイブ７０に加えて余剰の挿通孔７６の形成位置と重なる位置に同一径寸法の位置決めピン８０を新たに後付けすることとすれば、同一構造のモジュールケース２６を共用することができる。その結果、本実施形態によれば、助手席用エアバッグ装置１８の生産性を向上させることができると共にコスト削減を図ることができる。
【００４６】
また、本実施形態では、スクイブ７０の大径部７０Ａの外周面及び位置決めピン９２の外周面に雄ねじ７２、８２を形成することとし、ボルトとして機能させることにより固定手段の一翼を担わせることとしたので、別個独立に固定手段を設定する場合に比し、部品点数の削減を図ることができる。その結果、本実施形態によれば、助手席用エアバッグ装置１８の構造の簡素化及びコスト削減を図ることができる。
【００４７】
（実施形態の補足説明）
なお、上述した本実施形態では、エアバッグドア２０がウインドシールドガラス４２側へ展開するトップダッシュタイプの助手席用エアバッグ装置１８に対して本発明を適用したが、これに限らず、グローブボックス上部にエアバッグドアが配設される所謂ミッドシップタイプの助手席用エアバッグ装置に対して本発明を適用してもよい。
【００４８】
また、上述した本実施形態では、助手席用エアバッグ装置１８に対して本発明を適用したが、これに限らず、他のエアバッグ装置（例えば、ルーフサイドレールからバックがカーテン状に展開する側面衝突用の頭部保護エアバッグ装置やシートバックの側部に配設されてドアトリムと乗員の側部との間にエアバッグが展開される側面衝突用のサイドエアバッグ装置、ステアリングホイールのホイールパッドに配設される運転席用のエアバッグ装置等）に対して本発明を適用してもよい。
【００４９】
さらに、上述した本実施形態では、スクイブ７０の大径部７０Ａの外周面に雄ねじ７２を形成し、スクイブ７０を利用してインフレータ３８Ａ、３８Ｂをモジュールケース２６に固定する構成を採ったが、請求項１記載の本発明との関係では、固定手段をスクイブ７０とは別個独立に設定した構成も含まれる。
【００５０】
また、上述した本実施形態では、スクイブ７０が２個設置されるデュアル構造のインフレータ３８Ｂを例にしたが、これに限らず、スクイブ７０が３個以上設置される場合でも同様の考え方を適用することができる。
【００５１】
さらに、上述した本実施形態では、インフレータ３８が円柱形状を成していたが、これに限らず、他の形状を成していてもよい。
【００５２】
また、上述した本実施形態では、スクイブ７０及び位置決めピン８０をいずれも円柱形状とし、モジュールケース２６の傾斜壁部２６Ｅに形成される一対の挿通孔７６も同一径寸法の円孔としたが、必ずしも、円形である必要はなく、多角形状のスクイブ、位置決めピン、挿通孔を採用してもよい。
【００５３】
さらに、上述した本実施形態では、位置決めピン８０をインフレータ３８Ｂの外周面に溶接により取り付ける構成を採ったが、これに限らず、溶接以外の取付手段を採用してもよい。
【００５４】
また、上述した本実施形態では、モジュールケース２６内にディフューザ５４を配設したが、必ずしもディフューザ５４を備えている必要はない。
【００５５】
さらに、上述した本実施形態では、エアバッグドア２０が片開きに展開する構成を採ったが、これに限らず、両開きに展開する構成等、エアバッグドアの展開方法は種々の方法を採用し得る。
【００５６】
また、上述した本実施形態では、エアバッグ４０の展開制御につき、一方のスクイブ７０を乗員拘束時（衝突時）に作動させ、他方のスクイブ７０を大きく遅延させて作動させるようにしたが、これに限らず、乗員の体格差による展開制御も含めて種々の展開制御を採用し得る。
【図面の簡単な説明】
【００５７】
【図１】本実施形態に係る助手席用エアバッグ装置の外観構成を示す斜視図である。
【図２】本実施形態に係る助手席用エアバッグ装置が配設されたエアバッグドア一体タイプのインストルメントパネルの外観斜視図である。
【図３】図１に示される助手席用エアバッグ装置の縦断面構造を示す図２の３−３線に沿う断面図である。
【図４】図３に示される助手席用エアバッグ装置が展開した状態を示す図３に対応する断面図である。
【図５】シングル構造のインフレータ及びモジュールケースを示す斜視図である。
【図６】デュアル構造のインフレータ及びモジュールケースを示す斜視図である。
【図７】（Ａ）は対比例に係るシングル構造のインフレータを示す斜視図であり、（Ｂ）は対比例に係るデュアル構造のインフレータを示す斜視図である。
【符号の説明】
【００５８】
１８    助手席用エアバッグ装置
２６    モジュールケース
３８    インフレータ
３８Ａ    シングル構造のインフレータ
３８Ｂ    デュアル構造のインフレータ
４０    エアバッグ
７０    スクイブ
７２    雄ねじ（固定手段）
７６    挿通孔
７８    ナット（固定手段）
８０    位置決めピン（位置決め部材）
８２    雄ねじ（固定手段）
【図１】
2006069337.tif 000003
【図２】
2006069337.tif 000004
【図３】
2006069337.tif 000005
【図４】
2006069337.tif 000006
【図５】
2006069337.tif 000007
【図６】
2006069337.tif 000008
【図７】
2006069337.tif 000009